(57)【要約】【課題】効能の異なる各種のミストを生成して吹き出すことにより、美顔上の効果の高い美顔器を提供する。【解決手段】還元水生成手段１３により生成された還元水をミスト生成手段１６によりミスト化してミスト流路２０に供給する還元水ミスト発生部４と、酸性水生成手段１４により生成された酸性水をミスト生成手段１６によりミスト化してミスト流路２０に供給する酸性水ミスト発生部５と、前記ミスト流路２０内のミストを吹き出す吹出口２１とを備えとを備える。【選択図】図１
2006334385.tif 000002
【特許請求の範囲】
【請求項１】
還元水生成手段により生成された還元水をミスト生成手段によりミスト化してミスト流路に供給する還元水ミスト発生部と、
酸性水生成手段により生成された酸性水をミスト生成手段によりミスト化してミスト流路に供給する酸性水ミスト発生部と、
前記ミスト流路内のミストを吹き出す吹出口と、を備えたことを特徴とする美顔器。
【請求項２】
純水をミスト生成手段によりミスト化して前記ミスト流路に供給する純水ミスト発生部を備えたことを特徴とする請求項１記載の美顔器。
【請求項３】
芳香剤を混入したアロマ水をミスト生成手段によりミスト化して前記ミスト流路に供給するアロマ水ミスト発生部を備えたことを特徴とする請求項１または２記載の美顔器。
【請求項４】
ビタミン剤を混入したビタミン水をミスト生成手段によりミスト化して前記ミスト流路に供給するビタミン水ミスト発生部を備えたことを特徴とする請求項１ないし３のいずれかに記載の美顔器。
【請求項５】
純水ミスト発生部、還元水ミスト発生部、酸性水ミスト発生部、アロマ水ミスト発生部およびビタミン水ミスト発生部のそれぞれに対応した操作スイッチが設けられ、この操作スイッチを押すことにより、対応したミスト発生部からミストが発生するようにしたことを特徴とする請求項１ないし４記載の美顔器。
【請求項６】
前記ミスト生成手段は、純水、還元水、酸性水、アロマ水またはビタミン水の水面付近に超音波発生器を配置してこれらの水をミスト化するものであることを特徴とする請求項１ないし５のいずれかに記載の美顔器。
【請求項７】
前記超音波発生器は、常時水面付近に存在するように水面自動追従手段が設けられたことを特徴とする請求項１ないし６のいずれかに記載の美顔器。
【請求項８】
前記純水ミスト発生部、還元水ミスト発生部、酸性水ミスト発生部、アロマ水ミスト発生部およびビタミン水ミスト発生部から前記ミスト流路に開口する出口部分に、操作スイッチが押されたことにより開放される蓋を設け、この蓋の開放により当該ミスト発生部からのミストを前記吹出口から吹出すようにしたことを特徴とする請求項１ないし７のいずれかに記載の美顔器。
【請求項９】
前記純水ミスト発生部、還元水ミスト発生部、酸性水ミスト発生部、アロマ水ミスト発生部およびビタミン水ミスト発生部に、水流路から逆止弁を介して給水源からの水を供給するようにしたことを特徴とする請求項１ないし８のいずれかに記載の美顔器。
【請求項１０】
前記水流路に、水温を調整可能な水温調整器が設けられたことを特徴とする請求項９記載の美顔器。
【請求項１１】
前記純水ミスト発生部、還元水ミスト発生部、酸性水ミスト発生部、アロマ水ミスト発生部およびビタミン水ミスト発生部に、水または美顔剤を注入可能な注入口が設けられていることを特徴とする請求項１ないし１１のいずれかに記載の美顔器。
【請求項１２】
前記純水ミスト発生部、還元水ミスト発生部、酸性水ミスト発生部、アロマ水ミスト発生部およびビタミン水ミスト発生部は、円周上に配置されていることを特徴とする請求項１ないし１１のいずれかに記載の美顔器。
【請求項１３】
前記吹出口から前記各ミスト発生部からのミストとともに、マイナスイオンを吹き出すマイナスイオン発生器を備えたことを特徴とする請求項１ないし１２のいずれかに記載の美顔器。
【発明の詳細な説明】
【技術分野】
【０００１】  本発明は、顔にミストを吹きつけて肌を整える美顔器に関する。
【背景技術】
【０００２】  従来、ミストやスチームを顔に吹きつけるようにした美顔器は種々提案されている（例えば、特許文献１参照）。
【特許文献１】  特開２００４−１６５２３号公報
【発明の開示】
【発明が解決しようとする課題】
【０００３】  しかしながら、従来の美顔器は、普通の水をミスト化して吹きつけるだけのものであり、肌の乾燥を防ぐ保湿効果はあるが、肌の洗浄、手入れ、栄養補給等の機能はほとんど得られず、美顔上の効能は限定されるという問題があった。
本発明は、上記のような問題点に鑑み、効能の異なる各種のミストを生成して吹き出すことにより、美顔上の効果の高い美顔器を提供することを目的とする。
【課題を解決するための手段】
【０００４】  請求項１記載の発明は、還元水生成手段により生成された還元水をミスト生成手段によりミスト化してミスト流路に供給する還元水ミスト発生部と、
酸性水生成手段により生成された酸性水をミスト生成手段によりミスト化してミスト流路に供給する酸性水ミスト発生部と、
前記ミスト流路内のミストを吹き出す吹出口と、を備える。【０００５】  請求項２記載の発明は、純水をミスト生成手段によりミスト化して前記ミスト流路に供給する純水ミスト発生部を備える。【０００６】  請求項３記載の発明は、芳香剤を混入したアロマ水をミスト生成手段によりミスト化して前記ミスト流路に供給するアロマ水ミスト発生部を備える。【０００７】  請求項４記載の発明は、ビタミン剤を混入したビタミン水をミスト生成手段によりミスト化して前記ミスト流路に供給するビタミン水ミスト発生部を備える。【０００８】  請求項５記載の発明は、純水ミスト発生部、還元水ミスト発生部、酸性水ミスト発生部、アロマ水ミスト発生部およびビタミン水ミスト発生部のそれぞれに対応した操作スイッチが設けられ、この操作スイッチを押すことにより、対応したミスト発生部からミストが発生するようにする。【０００９】  請求項６記載の発明は、前記ミスト生成手段は、純水、還元水、酸性水、アロマ水またはビタミン水の水面付近に超音波発生器を配置してこれらの水をミスト化するものである。【００１０】  請求項７記載の発明は、前記超音波発生器は、常時水面付近に存在するように水面自動追従手段が設けられる。【００１１】  請求項８記載の発明は、前記純水ミスト発生部、還元水ミスト発生部、酸性水ミスト発生部、アロマ水ミスト発生部およびビタミン水ミスト発生部から前記ミスト流路に開口する出口部分に、操作スイッチが押されたことにより開放される蓋を設け、この蓋の開放により当該ミスト発生部からのミストを前記吹出口から吹出すようにする。【００１２】  請求項９記載の発明は、前記純水ミスト発生部、還元水ミスト発生部、酸性水ミスト発生部、アロマ水ミスト発生部およびビタミン水ミスト発生部に、水流路から逆止弁を介して給水源からの水を供給するようにする。【００１３】  請求項１０記載の発明は、前記水流路に、水温を調整可能な水温調整器が設けられる。【００１４】  請求項１１記載の発明は、前記純水ミスト発生部、還元水ミスト発生部、酸性水ミスト発生部、アロマ水ミスト発生部およびビタミン水ミスト発生部に、水または美顔剤を注入可能な注入口が設けられている。【００１５】  請求項１２記載の発明は、前記純水ミスト発生部、還元水ミスト発生部、酸性水ミスト発生部、アロマ水ミスト発生部およびビタミン水ミスト発生部は、円周上に配置されている。【００１６】  請求項１３記載の発明は、前記吹出口から前記各ミスト発生部からのミストとともに、マイナスイオンを吹き出すマイナスイオン発生器を備える。
【発明の効果】
【００１７】  本発明によれば、洗浄効果の高い還元水ミストにより、毛穴まできれいに洗顔した後、アストリンゼント効果の高い酸性水ミストにより肌をひきしめることができ、普通の水をミスト化したものに比して高い美顔効果が得られる。【００１８】  また、純水ミスト発生部を設けることにより、純水ミストで予備洗顔が行なわれ、アロマ水ミスト発生部を設けることにより、アロマセラピーが行なわれ、ビタミン水ミスト発生部を設けることにより、肌に栄養補給が行なわれる。【００１９】  さらにまた、操作スイッチを押すことにより、対応したミスト発生部から純水、還元水、酸性水、アロマ水またはビタミン水ミストが発生するので、使用者が好みに応じてミストの種類を選択することができる。
【発明を実施するための最良の形態】
【００２０】  以下、本発明の実施形態を図面を参照して説明する。
図１は、本発明の美顔器の第１実施形態を示す縦断側面図、図２は、側面図、図３は正面図である。【００２１】  図１において、ハウジング１内に、仕切板２により区画された純水ミスト発生部３、還元水ミスト発生部４、酸性水ミスト発生部５、アロマ水ミスト発生部６およびビタミン水ミスト発生部７がこの順序で設けられている。還元水ミスト発生部４と酸性水ミスト発生部５とは、水を通す浸透膜からなる隔壁９により分離されている。各室３〜７の下部には水流路８が形成され、この水流路８と各室３〜７との間には、ばね１０により付勢されたボールからなる逆止弁１１が設けられている。【００２２】  水流路８の入口には給水源に接続する接続口１２が設けられている。接続口１２にはコック４５が設けられており、コック４５を開くと、給水源から水流路８に水が入り、逆止弁１１を介して純水ミスト発生部３、還元水ミスト発生部４、酸性水ミスト発生部５、アロマ水ミスト発生部６およびビタミン水ミスト発生部７にほぼ満杯になるように供給される。水流路８の下部には水流路８に流れる水の水温を調整する水温調整器５７が設けられている。【００２３】  還元水ミスト発生部４および酸性水ミスト発生部５には電極板１３、１４が配設され、還元水ミスト発生部４の電極板１３が陰極、酸性水ミスト発生部５の電極板１４が陽極になるように電源１５に接続されている。【００２４】  純水ミスト発生部３、還元水ミスト発生部４、酸性水ミスト発生部５、アロマ水ミスト発生部６およびビタミン水ミスト発生部７の各室には、水面自動追従型の超音波発生器１６が配設されている。この超音波発生器１６は、常に水面Ｗ付近に浮き、水面Ｗ付近の水を超音波振動子１６ａによりミスト化するようになっている。超音波発生器１６を水面付近に浮かせる手段としては、例えば、図１に示すように、摩擦力を調整可能のローラ１７に掛けたワイヤ１８により超音波発生器１６を吊り下げる手段が用いられる。あるいは、図４に示すように、環状の浮子４０の下面に超音波発生器１６を取り付け、浮子４０をガイドロッド４１に上下動自在に挿入し、超音波振動子１６ａが水面Ｗ付近に存在するようにした構造でもよい。【００２５】  ハウジング１の上部にはミスト流路２０が形成され、ミスト流路２０の先端にはミスト吹出口２１が設けられ、ミスト流路２０の後部には送風ファン２１が設けられている。送風ファン２１の前方には電極タイプのマイナスイオン発生器１９が設けられている。純水ミスト発生部３、還元水ミスト発生部４、酸性水ミスト発生部５、アロマ水ミスト発生部６およびビタミン水ミスト発生部７と、ミスト流路２０とはミスト導出路２２により連接されている。【００２６】  ミスト導出路２２の出口には、ばね３２の付勢により塞がれた蓋２３，２４，２５，２６、２７が設けられている。これらの蓋２３〜２７にはソレノイド３０のプランジャ３１が連結されており、ソレノイド２４がオンするとプランジャ３１が引き込まれて、ばね３２に抗して蓋２３〜２７は鎖線の位置に上昇して出口が開放され、ミストがミスト流路２０に流れ込むようになっている。【００２７】  図２に示すように、ハウジングには、各室３〜７に対応して透明窓４９が設けられ、この透明窓４９���水位を示す目盛５０が設けられている。この透明窓５０から各室３〜７に収容された水の水位を監視することができる。【００２８】  図２および図３に示すように、ハウジングの外側には、各室３〜７のミスト導出路２２に対応して注入口５１が設けられている。注入口５１の上端開口部には着脱可能な蓋５２が取り付けられている。蓋５２を開け、注入口５１から水、純水または各種美顔剤を各室３〜７に投入することができるようになっている。さらに、各室３〜７の下部にはコック５６付きの排水管５３が設けられている。コック５６を回して各室３〜７の水を排水することにより、水の入れ替えや水面調整を行うことができるようになっている。【００２９】  図３に示すように、ハウジング１の正面には操作盤５５が設けられ、この操作盤５５に純水用操作スイッチ３ａ、還元水ミスト用操作スイッチ４ａ、酸性水ミスト用操作スイッチ５ａ、アロマ水ミスト用操作スイッチ６ａ、ビタミン水ミスト用操作スイッチ７ａ、およびメインスイッチ５４が設けられている。各操作スイッチ３ａ，４ａ，５ａ，６ａ，７ａを押すことにより、当該室３〜７の超音波発生器１６に電流が流れて当該室３〜７の水からミストが発生するとともに、当該室３〜７のミスト導出路２２の出口に設けられている蓋２３，２４，２５，２６、２７のソレノイド３０に電流が流れ、その出口を開放するようになっている。【００３０】  図５は、給水源から美顔器Ａに至るシステム構成図である。
同図において、３５は給水源である貯水タンク、３６はプレフィルタ、３７は純水製造器であって、美顔器Ａの接続口１２にホース３８で接続されている。なお、給水源は水道蛇口であってもよい。【００３１】  コック４５を開くことにより、貯水タンク３５からホース３９を介してプレフィルタ３６に水を導入し、ここで砂、ごみ等の不純物を除去した後、各種イオン交換樹脂の混合ベッドを備えた簡易型の純水製造器３７に導入し、ここで製造された純水を美顔器Ａに供給するようになっている。この水は水流路８に流れ、水圧により各逆止弁１１を開き、純水ミスト発生部３、酸性水ミスト発生部５、還元水ミスト発生部４、アロマ水ミスト発生部６およびビタミン水ミスト発生部７に水が満たされる。アロマ水ミスト発生部６の水に芳香性材料を投入することにより、アロマ水が生成され、ビタミン水ミスト室７の水にビタミン剤を投入することにより、ビタミン水がそれぞれ生成される。超音波発生器１６はそれぞれの室３〜７の水面付近に存在している。【００３２】  メインスイッチ５４をオンにすると、電極板１３が陰極、電極板１４が陽極になるように電流が流れ、陰極１３側に還元水、陽極１４側に酸性水がそれぞれ生成される。そして、各室３〜７の操作スイッチ３ａ、４ａ、５ａ、６ａ、７ａをオンにするごとに、当該室の超音波発生器１６に電流が流れ、超音波振動子１６ａが作動してその室からミストが発生する。すなわち、操作スイッチ３ａを押すと純水ミスト発生部３から純水ミストが、操作スイッチ４ａを押すと還元水ミスト発生部４から還元水ミストが、操作スイッチ５ａを押すと酸性水ミスト発生部５から酸性水ミストが、操作スイッチ６ａを押すとアロマ水ミスト発生部６からアロマ水ミストが、操作スイッチ７ａを押すとビタミン水ミスト発生部７からビタミン水ミストがそれぞれ発生し、ミスト導出路２２に導入される。【００３３】  使用者は、ミスト吹出口２１に顔を近づけ、純水用操作スイッチ３ａをオンすることにより、純水ミスト発生部３の超音波振動子１６ａが作動するとともに、ソレノイド３０がオンし、これにより蓋２３が開いて純水ミストが送風ファン２１によりミスト流路２０からミスト吹出口２１に流れ、ミスト吹出口２１から顔に吹きつけられる。純水ミストにより先ず予備洗顔が行われる。純水用操作スイッチ３ａをオフにすることにより、ばね３２により蓋２３が閉じ、超音波発生器１６も停止する。【００３４】  同様にして、還元水用操作スイッチ４ａをオンすることにより、還元水ミスト発生部４の超音波発生器１６が作動するとともに、蓋２４が開いて還元水ミストがミスト吹出口２１に流れ、ミスト吹出口２１から顔に吹きつけられる。還元水ミストにより顔の汚れを毛穴まで浄化することができる。【００３５】  同様にして、酸性水ミスト用操作スイッチ５ａ、アロマ水ミスト用操作スイッチ６ａ、ビタミン水ミスト用操作スイッチ７ａを次々とオンすることにより、当該室５、６、７の超音波発生１６が作動するとともに、蓋２５，２６，２７が次々と開放され、酸性水ミスト、アロマ水ミスト、ビタミン水ミストが次々と顔に吹きつけられる。酸性水ミストは肌を引き締めるアストリンゼントの役目を果たし、アロマ水ミストでアロマ��ラピーが行なわれ、ビタミン水ミストで肌に栄養を与えることができる。【００３６】  また、マイナスイオン発生器１９より発生するマイナスイオンが各種ミストに乗って供給されることにより、各種ミストによる上記の効果に加えて、マイナスイオンによる肌の手入れ効果も加わり、より美顔効果が向上する。【００３７】  図６および図７は、第２実施形態を示すもので、純水ミスト発生部３、酸性水ミスト発生部５、還元水ミスト発生部４、アロマ水ミスト発生部６およびビタミン水ミスト発生部７を円周状に配置したものである。各室３〜７の下部には各室に連通する平面円形の水流路８が、上部には各室に連通するおよびミスト流路２０が形成され、ミスト導出路２２の出口には蓋２３〜２７が設けられている。【００３８】  第２実施形態では、純水ミスト発生部３、酸性水ミスト発生部５、還元水ミスト発生部４、アロマ水ミスト発生部６およびビタミン水ミスト発生部７が円周状に配置されているため、全体としてコンパクトに構成される。【００３９】  以上、本発明の実施形態について述べたが、これらは本発明の例示であり、上記以外の様々な構成を採用することができる。
例えば、純水ミスト発生部３、酸性水ミスト発生部５、還元水ミスト発生部４、アロマ水ミスト発生部６およびビタミン水ミスト発生部７のうち、酸性水ミスト発生部５、還元水ミスト発生部４のみで構成することも可能である。
また、プレフィルタ３６および純水製造器３７を設けることなく、美顔器を直接水道蛇口に接続するか、あるいは、注入口５１から水または純水を注入することも可能である。
【図面の簡単な説明】
【００４０】
【図１】本発明の第１実施形態を示す縦断側面図である。
【図２】第１実施形態の側面図である。
【図３】第１実施形態の正面図である。
【図４】超音波発生器の支持手段を示す縦断側面図である。
【図５】第１実施形態の使用態様を示すシステム構成図である。
【図６】本発明の第２実施形態を示す縦断側面図である。
【図７】第２実施形態の平面図である。
【符号の説明】
【００４１】３  純水ミスト発生部
３ａ  操作スイッチ
４  還元水ミスト発生部
４ａ  操作スイッチ
５  酸性水ミスト発生部
５ａ  操作スイッチ
６  アロマ水ミスト発生部
６ａ  操作スイッチ
７  ビタミン水ミスト発生部
７ａ  操作スイッチ
１１  逆止弁
１６  超音波発生器（ミスト生成手段）
１７  ローラ（水面自動追従手段）
１８  ワイヤ
１９  マイナスイオン発生器
２０  ミスト流路
２１  吹出口
２３  蓋
４０  浮子（水面自動追従手段）
５３  注入口
【図１】
2006334385.tif 000003
【図２】
2006334385.tif 000004
【図３】
2006334385.tif 000005
【図４】
2006334385.tif 000006
【図５】
2006334385.tif 000007
【図６】
2006334385.tif 000008
【手続補正書】
【提出日】平成17年9月8日(2005.9.8)
【手続補正１】
【補正対象書類名】図面
【補正対象項目名】図７
【補正方法】追加
【補正の内容】
【図７】
2006334385.tif 000009